(57)【要約】  コンピューティングデバイスにより、関心のあるオブジェクト及び関心のあるオブジェクトに関する１つ又はそれより多い他のオブジェクトの視覚表現を、コンピューティングデバイスのユーザに与えることを可能にするための方法、装置、及び製品が本明細書において説明される。種々の実施形態においては、１つ又はそれより多いオブジェクトは関係の程度を伝達するように配置されることができ、視覚表現はいずれかの２つのオブジェクト間の少なくとも１つの例外的な関係の第１の表示、又は、前記オブジェクトの１つのセキュリティ・ステータスの第２の表示をさらに含む。さらに、コンピューティングデバイスは、ユーザ対話に応答して、視覚表現を変更する又は増大させることを含む、ユーザによる視覚表現との対話を可能にすることができる。【選択図】      図１
2010515154.tif 000002
【特許請求の範囲】
【請求項１】
コンピューティングデバイスによって、第１の関心のあるオブジェクト、及び、前記関心のあるオブジェクトに関する、１又はそれより多い他のオブジェクトの視覚表現を、前記コンピューティングデバイスのユーザに与えることを可能にするステップであって、前記１又はそれより多い他のオブジェクトは、関係の程度又は強さを伝達するように配置され、前記視覚表現は、いずれかの２つのオブジェクト間の少なくとも１つの例外的な関係の第１の表示、又は、前記オブジェクトの１つのセキュリティ・ステータスの第２の表示をさらに含むステップと、
前記コンピューティングデバイスにより、ユーザ対話に応答して、前記視覚表現を変更すること又は増大させることを含む、ユーザによる前記視覚表現との対話を手助けするステップと、
を含むことを特徴とする方法。
【請求項２】
各々のオブジェクトは、コンピュータシステム又はユーザアカウントを表わし、グローバル固有識別子と関連することを特徴とする請求項１に記載の方法。
【請求項３】
前記第１の表示はオブジェクトの２つの視覚表現間のラインを含み、前記第２の表示は取っておいた色を含むことを特徴とする請求項１に記載の方法。
【請求項４】
前記例外的な関係は、不正、セキュリティ弱点、怪しい行動、どのような不正の証拠もなしでオブジェクトが追跡された時間の期間、どのような不正の証拠もなしでオブジェクトが始めたトランザクションの数、又はどのような不正の証拠も生じさせることなくオブジェクトが訪問したワールドワイドなウェブサイトの数を示す情報と関連することを特徴とする請求項３に記載の方法。
【請求項５】
前記セキュリティ・ステータスは、前記オブジェクトの１つが、不正行為に関わっていると知られていること、又は、ある時間の期間において不正行為がないと知られていること、不正行為に関わっているか又は不正行為がないと知られている前記オブジェクトの別のものと関連すると知られていること、或いは、知られている不正行為との関連はないことを示すことを特徴とする請求項３に記載の方法。
【請求項６】
前記第２の表示は、前記オブジェクトの１つが関連する不正行為の特定の種類、又はオブジェクトの累積ステータスを示す取っておいた色及び／又はオブジェクトの形状含むことを特徴とする請求項３に記載の方法。
【請求項７】
前記手助けするステップは、前記ユーザにレベル選択ユーザインターフェース制御部を与えて、前記ユーザが、視覚的に表現される前記関係の程度又は強さを変更すること、或いは、視覚的に表現される前記オブジェクトの新しさに基づいて、視覚的に表現されるオブジェクトの選択、又は、視覚的に表現される前記オブジェクトの出現又は使用の頻度を変更することを可能にすることを特徴とする請求項１に記載の方法。
【請求項８】
前記手助けするステップは、前記ユーザが、前記１又はそれより多い他のオブジェクトの１つを新規な関心のあるオブジェクトとして選択すること、及び前記変更すること又は増大させることは、前記第１の関心のあるオブジェクトの代わりに、前記新規な関心のあるオブジェクトを用いて、前記視覚表現を更新することを含むことを特徴とする請求項１に記載の方法。
【請求項９】
前記変更すること又は増大させることは、前記ユーザ対話に応答して、前記例外的な関係又はセキュリティ・ステータスについての付加的な情報を提供することを含み、前記ユーザ対話は、前記第１の表示又は前記第２の表示のそれぞれを伴うものであることを特徴とする請求項１に記載の方法。
【請求項１０】
各々の関係の程度又は強さに対する１又はそれより多いオブジェクトは、前記関心のあるオブジェクトの周りに、軸方向距離として関係の程度又は強さを表わす空間クラウドにより、同心リングにより、或いは決定木により表示されることを特徴とする請求項１に記載の方法。
【請求項１１】
プロセッサと、
前記プロセッサにより動作される論理と、
を含み、前記論理は、
第１の関心のあるオブジェクト及び前記関心のあるオブジェクトに関する、１又はそれより多い他のオブジェクトの視覚表現を、コンピュータデバイスのユーザに与えることを可能にし、前記１又はそれより多い他のオブジェクトは、関係の程度又は強さを伝達する方法で配置され、前記視覚表現は、いずれかの２つのオブジェクト間の少なくとも１つの例外的な関係の第１の表示、又は、前記オブジェクトの１つのセキュリティ・ステータスの第２の表示をさらに含み、
ユーザ対話に応答して、前記視覚表現を変更する又は増大させることを含む、ユーザによる前記視覚表現との対話を手助けする、
ように構成されることを特徴とするコンピューティングデバイス。
【請求項１２】
各々のオブジェクトは、コンピュータシステム又はユーザアカウントを表わし、グローバル固有識別子と関連することを特徴とする請求項１１に記載のコンピューティングデバイス。
【請求項１３】
前記第１の表示はオブジェクトの２つの視覚表現間のラインを含み、前記第２の表示は取っておいた色を含むことを特徴とする請求項１１に記載のコンピューティングデバイス。
【請求項１４】
前記論理は、前記ユーザにレベル選択ユーザインターフェース制御部を与えて、前記ユーザが、視覚的に表現される前記関係の程度又は強さを変更すること、或いは、視覚的に表現される前記オブジェクトの新しさに基づいて、視覚的に表現されるオブジェクトの選択、又は、視覚的に表現される前記オブジェクトの出現又は使用の頻度を変更することを可能にするように構成されることを特徴とする請求項１１に記載のコンピューティングデバイス。
【請求項１５】
前記論理は、前記ユーザが、前記１つ又はそれより多い他のオブジェクトの１つを新規な関心のあるオブジェクトとして選択することを可能にし、
前記第１の関心のあるオブジェクトの代わりに、前記新規な関心のあるオブジェクトを用いて、前記視覚表現を更新する、
ようにさらに構成されることを含むことを特徴とする請求項１１に記載のコンピューティングデバイス。
【請求項１６】
記憶媒体と、
前記記憶媒体上に格納される複数のプログラミング命令であって、コンピューティングデバイスが、
第１の関心のあるオブジェクト及び前記関心のあるオブジェクトに関する１又はそれより多いオブジェクトの視覚表現を、前記コンピューティングデバイスのユーザに与えることを可能にし、前記１又はそれより多いオブジェクトは、関係の程度又は強さを伝達するように配置され、前記視覚表現は、いずれかの２つのオブジェクト間の少なくとも１つの例外的な関係の第１の表示又は前記オブジェクトの１つのセキュリティ・ステータスの第２の表示をさらに含み、
ユーザ対話に応答して、前記視覚表現を変更する又は増大させることを含む、ユーザによる前記視覚表現との対話を可能にする、
ようにプログラムをする構成にされた複数のプログラミング命令と、
を含むことを特徴とする製品。
【請求項１７】
各々のオブジェクトは、コンピュータシステム又はユーザアカウントを表わし、グローバル固有識別子と関連することを特徴とする請求項１６に記載の製品。
【請求項１８】
前記第１の表示はオブジェクトの２つの視覚表現間にラインを含み、前記第２の表示は取っておいた色を含むことを特徴とする請求項１６に記載の製品。
【請求項１９】
前記プログラミング命令は、前記ユーザにレベル選択ユーザインターフェース制御部を与えて、前記ユーザが、視覚的に表現される前記関係の程度又は強さを変更すること、又は、視覚的に表現される前記オブジェクトの新しさに基づいて、視覚的に表現されるオブジェクトの選択、又は、視覚的に表現される前記オブジェクトの出現又は使用の頻度を変更することを可能にする構成にさらにされることを特徴とする請求項１６に記載の製品。
【請求項２０】
前記プログラミング命令は、
前記ユーザが、前記１又はそれより多い他のオブジェクトの１つを新規な関心のあるオブジェクトとして選択することを可能にし、
前記第１の関心のあるオブジェクトの代わりに、前記新規な関心のあるオブジェクトを用いて、前記視覚表現を更新する、
構成にさらにされることを特徴とする請求項１６に記載の製品。
【発明の詳細な説明】
【技術分野】
【０００１】
本発明は、データ処理の分野に関する。より具体的には、本発明は、オブジェクト関係の視覚化に関する。
（関連出願）
本出願は、２００６年１２月２７日に出願された「Ｖｉｓｕａｌｉｚｉｎｇ  Ｏｂｊｅｃｔ  Ｒｅｌａｔｉｏｎｓｈｉｐ」という表題の特許文献１、及び、２００７年１２月２６日に出願された「Ｖｉｓｕａｌｉｚｉｎｇ  Ｏｂｊｅｃｔ  Ｒｅｌａｔｉｏｎｓｈｉｐ」という表題の特許文献２に基づく優先権を主張し、この明細書は、本明細書と矛盾するセクションがある場合には、それ以外のすべてが本明細書において引用によりここに組み入れられる。
【背景技術】
【０００２】
マイクロプロセッサ技術の進歩は、コンピューティングをユビキタス化した。ネットワーキング及び電気通信技術もまた、コンピューティングをますますネットワーク化した。今日、大量のコンテンツ及びサービスが、相互接続された公衆網及び／又は私設網を通して使用可能である。
【先行技術文献】
【特許文献】
【０００３】
【特許文献１】米国仮特許出願第６０／８８２，１１５号
【特許文献２】米国仮特許出願第６０／９６４，５７２号
【特許文献３】米国特許出願第１１／９２３，５７２号
【発明の概要】
【発明が解決しようとする課題】
【０００４】
同時に、データコンテンツ及びサービスは、ますます、潜在的に互いに関係を有するデータオブジェクトの形式で表わされるようになっている。さらに、これらの関係は、多くの場合には、複雑であり、例えば、不正の検出のような多数のアプリケーションは、多くの場合には、ユーザがオブジェクト間の複雑で入り組んだ関係を理解することを要求する。
【課題を解決するための手段】
【０００５】
本発明の例示的な実施形態は、以下に限定されるものではないが、コンピューティングデバイスにより、関心のあるオブジェクト及び関心のあるオブジェクトに関する１つ又はそれより多い他のオブジェクトの視覚表現を、コンピューティングデバイスのユーザに提供することを可能にするための方法及び装置を含む。種々の実施形態においては、１又はそれより多いオブジェクトは関係の程度又は強さを伝達するように配置されることができ、視覚表現はいずれかの２つのオブジェクト間の少なくとも１つの例外的な関係の第１の表示、又は、前記オブジェクトの１つのセキュリティ・ステータスの第２の表示をさらに含む。さらに、コンピューティングデバイスは、ユーザ対話に応答して、視覚表現を変更する又は増大させることを含む、ユーザによる視覚表現との対話(interaction)を可能にすることができる。
【０００６】
例示的な実施形態の種々の態様は、他の当業者にその作業の中身を伝達するために当業者により通常採用される用語を用いて説明される。しかし、当業者であれば、代替的な実施形態は、説明される態様の幾つかだけで実施できることを理解するであろう。説明目的で、特定の数、材料、及び構成が、例示的な実施形態の完全な理解を提供するために述べられる。しかし、当業者であれば、代替的な実施形態は、特定の詳細なしで実施できることを理解するであろう。他の場合においては、周知の特徴は、例示的な実施形態を曖昧にしないように省略される又は単純化される。
【０００７】
さらに、種々の動作は、複数の離散的な動作として記載され、順番に、説明的な実施形態を理解するために、最も役立つように記載される。しかしながら、これらの動作が必ず順番に依存していることを示唆するものとして、記載の順番が、記載されている訳ではない。
【図面の簡単な説明】
【０００８】
【図１】種々の実施形態によるオブジェクト間の関係を視覚化する概観を示す。
【図２】種々の実施形態によるオブジェクト間の関係を視覚化する概観を示す。
【図３】種々の実施形態による選択された動作のフローチャートを示す。
【図４】種々の実施形態による、本発明を実施するのに好適な例示的なコンピュータシステムを示すブロック図である。
【発明を実施するための形態】
【０００９】
本発明は、同じ参照番号が同じ要素を指す添付図面に示される、制限的なものではなく一例としての実施形態により説明される。
「１つの実施形態においては」という句は繰り返し用いられる。この句は、一般に、同じ実施形態を指すものではないが、それを指すこともある。「備える（ｃｏｍｐｒｉｓｉｎｇ）」、「有する（ｈａｖｉｎｇ）」、及び「含む（ｉｎｃｌｕｄｉｎｇ）」は、内容が別の方法を要求しない限り、同義語である。「Ａ／Ｂ」という句は「Ａ又はＢ」を意味する。「Ａ及び／又はＢ」という句は、「（Ａ）、（Ｂ）又は（Ａ及びＢ）」を意味する。「Ａ、Ｂ、及びＣの少なくとも１つ」という句は、「（Ａ）、（Ｂ）、（Ｃ）、（Ａ及びＢ）、（Ａ及びＣ）、（Ｂ及びＣ）、又は（Ａ、Ｂ及びＣ）を意味する」「（Ａ）（Ｂ）」は「（Ｂ）又は（ＡＢ）」を意味し、すなわち、Ａは任意的なものであることを意味する。
【００１０】
図１、図２は、種々の実施形態によるオブジェクト間の関係を視覚化する概観を示す。図示のように、コンピューティングデバイスは、コンピューティングデバイスのユーザに、関心のあるオブジェクト１０２及び関心のあるオブジェクト１０２に関する１又はそれより多い他のオブジェクト１０４の視覚表現１００を与えるようにすることができる。表現１００される他のオブジェクト１０４を、各々のオブジェクト１０４と関心のあるオブジェクト１０２との間の関係の程度又は強さを伝達する方法で、関心のあるオブジェクト１０２の周りに配置することができる。種々の実施形態においては、視覚表現１００は、さらに、いずれか２つのオブジェクト１０２／１０４の間の少なくとも１つの例外的な関係の第１の表示１０６（例えば、図２において、オブジェクト１０４の表現の間のラインとして示される）、又は、オブジェクト１０２／１０４の１つのセキュリティ・ステータスの第２の表示１１０（例えば、図２において、オブジェクト１０４の表現の色として示される）を含むことができる。幾つかの実施形態においては、図１及び図２に示すように、視覚表現１００は、視覚表現１００を見ているユーザが、ズームイン又はズームアウトのように、レベルを調整することにより、表現１００と対話できるようにレベル選択ユーザインターフェース制御部１０８を含んで、効果的に、ユーザが視覚的に表現される関係の程度又は強さを変更できるようにする。さらに、種々の実施形態においては、視覚表現１００を与えるコンピューティングデバイスは、ユーザ対話に応じて視覚表現１００を変更する又は増大させることを含む、ユーザによる視覚表現１００との対話を可能にする、図４に示される命令４２２といった論理（図示せず）を含むことができる。さらに、種々の実施形態においては、視覚表現１００は、二次元であってもよいし、三次元であってもよい。
【００１１】
種々の実施形態においては、視覚表現１００を与え、視覚表現１００との対話を可能にするように構成されたコンピューティングデバイス（図示せず）は、命令４２２（本明細書においてより詳細に説明される）といった論理（図示せず）、及び、本明細書において、より完全に説明される動作を実行するように適応された他の論理以外であれば、当該技術分野に知られるどのような種類のコンピューティングデバイスであってもよい。コンピューティングデバイスは、パーソナルコンピュータ（ＰＣ）、ワークステーション、サーバ、ルータ、メインフレーム、ブレードサーバ又は高密度サーバ内のモジュラーコンピュータ、携帯情報端末（ＰＤＡ）、エンターテインメントセンター、セットトップボックス、又はモバイルデバイスとすることができる。例示的なコンピューティングデバイスは図４に示され、本明細書においてより詳細に説明される。
【００１２】
幾つかの実施形態においては、コンピューティングデバイスは、ネットワーキング組織に接続し、視覚表現１００、視覚表現１００の供給を可能にする論理、及び／又は、１つ又はより多い他のコンピューティングデバイス（図示せず）から視覚表現１００を生成するのに用いられるデータを受信するように適応させることができる。こうしたネットワーキング組織は、当該技術分野に知られるＬＡＮ、ＷＡＮ、及びインターネットの１つ又はそれより多く含むことができる。１実施形態においては、ネットワーキング組織は、私設ネットワーク又はトンネリングを使用することができる仮想私設ネットワーク（ＶＰＮ）を含んでもよい。
【００１３】
種々の実施形態においては、コンピューティングデバイスは、視覚表現１００をユーザに与えることができる。視覚表現１００は、コンピューティングデバイスのブラウザに表示されるウェブページのような双方向ネットワークリソースであってもよいし、又は、コンピューティングデバイスを適用したユーザインターフェースであってもよい。１実施形態においては、ブラウザは、視覚表現１００の提供を可能にするＦｌａｓｈプレイヤーといったプラグインを含むことができる。上述のように、視覚表現１００は、別のコンピューティングデバイスから受信されてもよいし、又は、視覚表現１００の仕様といった受信データに基づいて提供側コンピューティングデバイスにより生成されてもよい。識別情報、関係１０６、及びオブジェクト１０２／１０４のセキュリティ・ステータス１１０といった視覚表現により表わされる実際のデータを、コンピューティングデバイス又は別のコンピューティングデバイスにより実行される分析に基づいて取得することができる。
【００１４】
幾つかの実施形態においては、図示のように、視覚表現１００は、各々が関係の程度又は強さに対応する同心のリングにおいて、関心のあるオブジェクト１０２の周りに配置された他の関連するオブジェクト１０４により取り囲まれる関心のあるオブジェクト１０２を含むことができ、関心のあるオブジェクト１０２に最も近いリングは、オブジェクト１０４に対して直接の関係１０６を有するオブジェクト１０４を含む。他の実施形態においては、オブジェクト１０４及び関心のあるオブジェクト１０２は、関係の程度又は強さを軸方向距離として表わす空間クラウドで配置することができる。１実施形態においては、同心リング又は空間クラウドではなく、決定木を用いることができ、決定木は、左から右へ又は上から下へ、関係データを表示する。種々の実施形態においては、関係の強さは、多数のネットワーク、代替的な関連トークン、オブジェクト１０４の出現頻度、及び／又はオブジェクト１０４の年齢を通して、接続性の重み付けされた集合に基づいてもよい。幾つかの実施形態においては、オブジェクト１０２／１０４の間の関係１０６は、オブジェクト１０２／１０４を接続するライン１０６により示すことができる。また、図１及び図２に示すように、種々の実施形態においては、「例外的な」関係１０６（後述する）に対応するラインだけを提供することができる。種々の実施形態においては、各々のオブジェクト１０２／１０４の表現される形状は、オブジェクトの種類又は特定のセキュリティ・ステータス１１０を示すことができる。さらに、幾つかの実施形態においては、各々のオブジェクト１０２／１０４は、そのセキュリティ・ステータス１１０を示す、取っておいた色(reserved color)といった色を有することができる。さらに、上述のように、視覚表現１００は、レベル選択ユーザインターフェース制御部１０８を含んで、表現された関係の程度又は強さに関して、ズームイン又はズームアウトすることができる。
【００１５】
種々の実施形態においては、関心のあるオブジェクト１０２及びオブジェクト１０４は、コンピューティングデバイス、ユーザアカウント、サービス、アプリケーション、及び／又はネットワークといったどのような種類のオブジェクトであってもよい。１実施形態においては、各々のデバイスは、グローバル固有識別子(Globally unique identifiers)といった少なくとも１つの識別子と関連することができる。グローバル固有識別子は、２００７年１０月２４日に出願された「Ｃｒｅａｔｉｎｇ  ａｎｄ  Ｖｅｒｉｆｙｉｎｇ  Ｇｌｏｂａｌｌｙ  Ｕｎｉｑｕｅ  Ｄｅｖｉｃｅ−Ｓｐｅｃｉｆｉｃ  Ｉｄｅｎｔｉｆｉｅｒｓ」という表題の特許文献３においてより詳細に説明されている。少なくとも１つの識別子は、さらに、ＭＡＣアドレスといったあらゆる非固有識別子であってもよいし、又は、ユーザ名、アカウント名等のあらゆる種類のテキスト列であってもよい。
【００１６】
図１及び図２に示すように、オブジェクト１０２／１０４の各々の表現は、形状、色及びラベルを有することができる。幾つかの実施形態においては、ラベルは、上述の識別子と対応することができる。形状は、正方形、円形、三角形等の当該技術分野に知られるあらゆる種類の形状とすることができる。幾つかの実施形態においては、各々の形状の種類は、オブジェクトの種類に対応することができる。例えば、正方形は、コンピューティングデバイスに関連することができ、円形はユーザアカウントと関連することができる。他の実施形態においては、各々の形状の種類は、セキュリティ・ステータス１１０又はセキュリティ・ステータス１１０のクラスに対応することができ、セキュリティ・ステータス１１０は、本明細書においてより詳細に説明される。
【００１７】
種々の実施形態においては、関心のあるオブジェクト１０２を、関心のあるオブジェクトについてのユーザクエリに応答して、視覚表現１００を与える前に、選択することができる。他の実施形態においては、関心のあるオブジェクト１０２を、デフォルトにより（オブジェクト１０２のセキュリティ・ステータス１１０、オブジェクト１０２の例外的な関係１０６、関連するオブジェクト１０４のセキュリティ・ステータス１１０に関する）不正の印の最大数を有するオブジェクト１０２を選択するといった１又はそれより多い規則／方策に基づいてコンピューティングデバイスによって、選択することができる。さらに別の実施形態においては、関心のあるオブジェクト１０２は、ユーザ対話に応答してオブジェクト１０４間で交換されるシフティング・ステータスとすることができる。
【００１８】
幾つかの実施形態においては、関係のデフォルトの度数又はデフォルトの強さは、視覚表現１１０のために最初に用いることができ、関心のあるオブジェクト１０２からの関係のその度数又は強さにおけるすべてのオブジェクト１０４は、関心のあるオブジェクト１０２で表現することができる。関係のその度数又は強さにおける変化、又は、関心のある異なるオブジェクト１０２の選択に応答して、新規なオブジェクト１０４のセットが表現されることになり、新規なセットは、少なくとも部分的に、前のオブジェクト１０４のウェットを含む。
【００１９】
種々の実施形態においては、上述のように、視覚表現１００は、オブジェクト１０２／１０４の間の関係１０６を示すラインを提供することができる。オブジェクト１０２／１０４の間の関係１０６は、幾つかの実施形態においては、「例外的」又は「通常」と考えることができる。通常の関係１０６は、オブジェクト１０２／１０４の当事者のいずれも不正行為と関連していない関係とすることができ、例外的な関係１０６は、オブジェクト１０２／１０４の当事者(party)の少なくとも一方が不正行為と関連している関係とすることができる。他の実施形態においては、例外的な関係１０６は、不正行為との関連を示すのではなく、オブジェクト１０２／１０４がいずれの負の証拠（すなわち、不正の証拠）もなしで追跡された時間の期間、オブジェクト１０２／１０４がどのような負の証拠もなしで始めたトランザクションの数、及び／又は、オブジェクト１０２／１０４がどのような負の証拠の発生させることもなく訪問したワールドワイドなウェブサイトの数を示すことができる。
【００２０】
例えば、例外的な関係１０６は、不正、セキュリティの弱点(exploit)、又は怪しい行動を示す情報と関連することができる。幾つかの実施形態においては、上述のように、例外的な関係１０６のためのラインだけが、視覚表現１００の部分として提供されることができる。通常の関係１０６に対応するラインは、視覚表現を、よりユーザフレンドリーにするように、及び視覚キューによる散乱を少なくするように、提供されないことがある。例えば、ユーザは、２つのコンピューティングデバイスとユーザアカウントとを有することができ、ユーザは、一方の又は両方のデバイスからそのアカウントにログインすることができる。こうした例においては、コンピューティングデバイスの各々及びユーザアカウントは、オブジェクト１０２／１０４であり、直接の通常の関係１０６は、各々のコンピューティングデバイスとアカウントとの間に存在することができ、間接的な通常の関係１０６は、２つのコンピューティングデバイスの間に存在することができる（この例においては、デバイスは、２度の関係を有する）。コンピューティングデバイスの１つが、そのデバイスのあらゆる直接の関係１０６ではなく、不正行為に関係すると知られていた場合には、例外的な関係１０６になる。
【００２１】
種々の実施形態においては、前述のように、各々のオブジェクト１０２／１０４は、（「証拠」及び「証拠ステータス」とも呼ばれる）セキュリティ・ステータス１１０を有することができ、これは、オブジェクト表現の色、形状、又はその両方により表わすことができる。幾つかの実施形態においては、オブジェクト１０２／１０４は、３つの色の１つを有することができ、赤色は、オブジェクト１０２／１０４が、不正行為に関係すると知られていることを示し、黄色は、オブジェクト１０２／１０４が、不正行為に関係すると知られているオブジェクト１０２／１０４と関係１０６があることを示し、緑色は、オブジェクト１０２／１０４が不正行為とどのような関連もないことを示す。他の実施形態においては、異なる色及び分類を用いることができる。幾つかの実施形態においては、色及び／又はオブジェクトの形状は、オブジェクト１０２／１０４が関連する、フィッシングといった特定の不正行為の種類を示すことができる。こうした実施形態においては、オブジェクト形状を、セキュリティ・ステータス１１０のクラスを示すのに用いることができ、色はクラス内の特定の行為を示す。さらに別の実施形態においては、色／形状は、オブジェクト１０２／１０４の累積状態を示すことができる。例えば、オブジェクト１０２／１０４は、識別情報の窃盗といった何らかの特定の不正行為に直接関わっていたことがわかると、１つの形状により表わすことができる。しかし、この同じオブジェクトが、さらに、盗難クレジットカードにも関わっていたことがわかったとき／場合には、新規な視覚インジケータを用いて、評判の蓄積を反映するのに用いることができる。１つの実施形態においては、特別な形状／色（どくろのような）を用いて、絶対的な最悪の評判レベルを表わすことができる。
【００２２】
図示のように、視覚表現１００は、レベル選択ユーザインターフェース制御部１０８を含むことができる。レベル選択ユーザインターフェース制御部１０８は、図１及び図２に示すようにスライドバーであってもよいし、又は、ラジオボタン、ドラップダウンリスト、半径方向ノブ、又はスピナを含んでもよい。レベル選択ユーザインターフェース制御部１０８は、画像にズームイン及びズームアウトするための双方向マップに見られることが多い外観とすることができる。前述のように、レベル選択ユーザインターフェース制御部１０８は、ユーザ対話により、ユーザが示されるべき関心のあるオブジェクト１０２からの関係の度数又は強さを制御できるようにする。例えば、数が３と設定された場合には、関心のあるオブジェクト１０２から３度以内のオブジェクトのみを表現することができる。１つの実施形態においては、上方向にレベル選択ユーザインターフェース制御部１０８の要素を移動させることにより、度数を２に減らすことができ、下方向に要素を移動させることにより、度数を４に増加させることができる。他の実施形態においては、要素をこうした方向に移動させることによる影響を逆にすることができる。幾つかの実施形態においては、度数又は強さを調整するのではなく、レベル選択ユーザインターフェース制御部１０８は、ディスプレイに影響を与えて、先週／先月／３ヶ月前、前年にサブミットされたオブジェクト１０４のみが表示されるようにするか、「ｎ」回より多くサブミットされたオブジェクト１０４のみが表示されるようにするか、又は、「ｎ」個より多くの異なるデータプロバイダによりサブミットされたオブジェクト１０４のみが表示されるようにすることができる。
【００２３】
種々の実施形態においては、前述のように、コンピューティングデバイスは、コンピューティングデバイスのユーザが、ユーザ対話に応答して、視覚表現を変更又は増大させることを含む、視覚表現１００との対話を可能にする論理を有することができる。こうしたユーザ対話は、ユーザがレベル選択ユーザインターフェース制御部１０８を操作することを手助けすること(facilitating)を含むことができる。前述のように、レベル選択ユーザインターフェース制御部１０８の要素の操作は、視覚表現１００に表示されるオブジェクト１０４の数を増大させる又は減少させることができる。
【００２４】
さらに、前述のように、この手助けすることは、ユーザがオブジェクト１０４の１つを新規な関心のあるオブジェクト１０４として選択することを可能にすることを含み、変更する又は増大させるステップは、前の関心のあるオブジェクト１０２の代わりに新規な関心のあるオブジェクト１０２を用いて、視覚表現１００を更新することを含むことができる。１実施形態においては、ユーザは、カーソルにより、オブジェクト１０４を単純にクリックして、オブジェクト１０４を新規な関心のあるオブジェクト１０２として設定することができる。幾つかの実施形態においては、新規な関心のあるオブジェクト１０２に応答して、コンピューティングデバイスは、付加的なオブジェクト１０４、その関係０１６、及びそのセキュリティ・ステータス１１０についてのさらに別のデータを抽出することができる。１実施形態においては、新規なオブジェクト１０４の情報は、更新された視覚表現１００を生成するのに用いることができる。
【００２５】
さらに、幾つかの実施形態においては、変更する又は増大させることは、オブジェクト１０２／１０４とのユーザ対話に応答して、オブジェクト１０２／１０４の例外的な関係１０６又はセキュリティ・ステータス１１０についての付加的な情報を与えることを含むことができ、ユーザ対話は、例えば、オブジェクト１０２／１０４のマウスオーバーである。付加的な情報は、例えば、オブジェクト１０２／１０４が関連すると知られている不正行為についての付加的な詳細を含むことができる。しかし、付加的な情報は、種々の実施形態により、オブジェクト１０２／１０４に関するどのような種類の情報であってもよい。
【００２６】
図３は、種々の実施形態による、選択された動作のフローチャート図を示す。図示のように、コンピューティングデバイスは、関心のあるオブジェクトの視覚表現、及び、コンピュータデバイスのユーザに対して関心のあるオブジェクトに関する１又はそれより多い他のオブジェクトを提供できるようにし、ブロック３０２、１又はそれより多い他のオブジェクトは関係の程度又は強さを伝達するように配置されており、視覚表現はさらに、いずれかの２つのオブジェクト間の少なくとも１つの例外的な関係の第１の表示又はオブジェクトの１つのセキュリティ・ステータスの第２の表示を含む。幾つかの実施形態においては、各々のオブジェクトは、コンピュータシステム又はユーザアカウントを表わすことができ、グローバル固有識別子と関連する。さらに、関係の各々の程度又は強さに対する１又はそれより多い他のオブジェクトを、空間クラウド、又は、関係の程度若しくは強さを軸方距離として表わす同心リングにおいて、関心のあるオブジェクトの周りに表示することができる。
【００２７】
種々の実施形態においては、第１の表示は、オブジェクトの２つの視覚表現の間のラインを含むことができ、第２の表示は、取っておいた色を含むことができる。さらに、例外的な関係は、不正、セキュリティの弱点、又は怪しい行動を示す情報に関連することができ、セキュリティ・ステータスは、オブジェクトの１つが、不正行為に関わっていると知られること、不正行為に関わっていると知られるオブジェクトの別のものと関連すると知られること、又は知られている不正行為との関連はないことを示すことができる。幾つかの実施形態においては、第２の表示は、オブジェクトの１つが関連する不正行為の特定の種類を示す取っておいた色、及び／又は、オブジェクト形状を含むことができる。
【００２８】
さらに示されるように、コンピューティングデバイスは、次いで、ユーザが視覚表現と対話することを手助けすることができ、ブロック３０４、これはユーザ対話に応答して、視覚表現を変更する又は増大させることを含む、ブロック３０６。幾つかの実施形態においては、手助けすること、ブロック３０４は、ユーザに、レベル選択ユーザインターフェース制御部を与えて、ユーザが、視覚的に表現されている関係の程度又は強さを変更できるようにすることを含む。種々の実施形態においては、可能にすること、ブロック３０４は、ユーザが、１又はそれより多い他のオブジェクトの１つを、新規な関心のあるオブジェクトとして選択できるようにすることを含み、変更する又は増大させること、ブロック３０６は、関心のあるオブジェクトの代わりに、新規な関心のあるオブジェクトを用いて、視覚表現を更新することを含むことができる。幾つかの実施形態においては、変更する又は増大させること、ブロック３０６は、ユーザ対話に応答して、例外的な関係又はセキュリティ・ステータスについての付加的な情報を提供することを含むことができ、ユーザ対話は、第１の表示及び第２の表示のそれぞれとのものとすることができる。
【００２９】
図４は、種々の実施形態により本発明を実施するために用いるのに好適な例示的なコンピュータシステムを示すブロック図である。図示のように、コンピューティングシステム４００は、１又はそれより多いプロセッサ又はプロセッサコア４０２と、システムメモリ４０４とを含む。特許請求の範囲を含む本出願の目的のために、「プロセッサ」及び「プロセッサコア」という用語は、内容が明らかに別の意味を要求しない限り、同義語として考慮することができる。さらに、コンピューティングシステム４００は、大容量記憶装置４０６（ディスケット、ハードドライブ、コンパクトディスク・リードオンリーメモリ（ＣＤＲＯＭ）など）と、入力／出力デバイス４０８（視覚表現１００を提供するディスプレイ、キーボード、カーソル制御部など）と、通信インターフェース（ネットワークインターフェースカード、モデムなど）とを含む。要素は、１つ又はそれより多いバスを表わすシステムバス４１２により互いに結合される。複数のバスがある場合には、１つ又はそれより多いバスブリッジ（図示せず）によりブリッジされる。
【００３０】
これらの要素の各々を、当該技術分野に知られるその通常の機能を実行する。具体的には、システムメモリ４０４及び大容量記憶装置４０６は、本明細書においては集合的に４２２として示される、前述の機能の全て又は一部を実施するプログラミング命令のワーキングコピー及び永久コピーを格納するように採用することができる。命令４２２は、プロセッサ４０２によりサポートされるアセンブラ命令であってもよいし、又は、Ｃといった高レベル言語からコンパイルすることができる命令であってもよい。
【００３１】
プログラミング命令の永久コピーは、ファクトリーの永久記憶装置４０６に置かれてもよいし、又は例えばコンパクトディスク（ＣＤ）といった配布媒体（図示せず）を通して、又は、通信インターフェース（配布サーバ（図示せず））からの通信インターフェースを通してフィールドに置かれてもよい。すなわち、命令４２２を有する１つ又はそれより多い配布媒体を採用して、命令を配布して、種々のコンピューティングデバイスをプログラムすることができる。
【００３２】
これらの要素４０２から４１２の構成は知られており、したがってこれ以上の説明はない。
【００３３】
本発明の実施形態においては、製品（図示せず）を採用して、本明細書に開示される１又はそれより多い方法を実施することができる。例えば、例示的な実施形態においては、製品は
記憶媒体と、記憶媒体上に格納される複数のプログラミング命令であって、コンピューティングデバイスが、第１の関心のあるオブジェクト及び関心のあるオブジェクトに関する１又はそれより多いオブジェクトの視覚表現を、コンピューティングデバイスのユーザに与えることを可能にし、１又はそれより多い他のオブジェクトは関係の程度又は強さを伝達するように配置されており、視覚表現は、いずれかの２つのオブジェクト間の少なくとも１つの例外的な関係の第１の表示又はオブジェクトの１つのセキュリティ・ステータスの第２の表示をさらに含むように構成されたプログラムコンピューティングデバイスに適用する複数のプログラミング命令と、を含むことができる。これらの実施形態の種々のものにおいては、プログラミング命令は、ユーザ対話に応答して視覚表現を変更する又は増大させることを含む、ユーザによる視覚表現との対話を手助けするように適用してもよい。
【００３４】
本明細書において特定の実施形態が示され説明されたが、当業者であれば、本発明の範囲から離れることなく、幅広い代替的な及び／又は等価な実施により、図示され説明される特定の実施形態の代わりになることを理解するであろう。当業者であれば、本発明は、非常に広範な実施形態又はそこから拡張されて実施できることを容易に理解するであろう。本明細書は、ここで説明される実施形態のあらゆる適応又は変形をカバーすることが意図される。したがって、本発明は、明らかに、特許請求の範囲及びその等価物によってのみ制限されることが意図される。
【符号の説明】
【００３５】
１００：視覚表現
１０２：関心のあるオブジェクト
１０４：他のオブジェクト
１０６：第１の表示
１１０：第２の表示
４００：コンピューティングシステム
４０２：プロセッサ又はプロセッサコア
４０４：システムメモリ
４０６：大容量記憶装置
４０８：入力／出力デバイス
４１２：システムバス
４２２：命令
【図１】
2010515154.tif 000003
【図２】
2010515154.tif 000004
【図３】
2010515154.tif 000005
【図４】
2010515154.tif 000006
【国際調査報告】
2010515154.tif 000007
2010515154.tif 000008